(57)【特許請求の範囲】
【請求項１】
任意の着信メロディを新規に登録可能な通信端末装置であって、
新規に登録して着信音データ格納手段に格納された着信メロディ中の誤りを見つけ出すための試聴の際に、着信時の通常演奏よりもゆっくりとしたテンポで着信メロディの各音が発生するように着信音発生手段を制御する着信音発生制御手段を備えたことを特徴とする通信端末装置。
【請求項２】
新規に登録して着信音データ格納手段に格納された着信メロディ中の誤りを見つけ出すための試聴の際に、着信メロディの各音を表す音情報を、当該音の発生と同時に表示する表示手段を備えたことを特徴とする請求項１に記載の通信端末装置。
【請求項３】
前記表示手段が、選択的に点灯可能な複数の操作キーであり、予め設定された点灯規則に基づいた前記操作キーの点灯によって発生中の音に対応する音情報を表示させる操作キー点灯制御手段を備えたことを特徴とする請求項２に記載の通信端末装置。
【請求項４】
前記表示手段が、文字・記号を表示可能な表示パネルであり、予め設定された表記規則に基づいた前記表示パネルの表示によって発生中の音に対応する音情報を表示させる表示パネル制御手段を備えたことを特徴とする請求項２若しくは請求項３に記載の通信端末装置。
【請求項５】
着信メロディの各音ごとの音情報記入欄が設けられたメロディ入力シートを読み取る読取手段と、該読取手段により読み取った前記メロディ入力シートの内容を認識するシート認識手段と、該シート認識手段の認識内容から前記着信音データ格納手段に格納する着信音データを生成する着信音データ生成手段とを備え、
前記音情報記入欄に記入された修正済みの音情報を前記シート認識手段に認識させて、前記着信音データ格納手段のデータを修正するようにしたことを特徴とする請求項１に記載の通信端末装置。
【請求項６】
前記メロディ入力シートに各音ごとに修正の有無を記入する修正有無記入欄を設け、これをもとに修正ありと認識された音情報記入欄のみデータ修正を行うようにしたことを特徴とする請求項５に記載の通信端末装置。
【請求項７】
前記メロディ入力シートに登録及び修正の別を記入する読取種別記入欄を設け、これをもとに修正と認識された場合に前記修正有無記入欄にもとづく修正がある音情報記入欄のみのデータ修正を行うようにしたことを特徴とする請求項６に記載の通信端末装置。
【発明の詳細な説明】
【０００１】
【発明の属する技術分野】
本発明は、予め登録された着信メロディを着信に応じて演奏する着信メロディ機能を備えた通信端末装置及びその着信音設定方法に関するものである。
【０００２】
【従来の技術】
電話機やファクシミリ装置などの通信端末装置では、単調な呼び出し音に代えて著名な楽曲などをもとにしたメロディ音を発生する着信メロディ機能を備えたものがあり、特に装置に予め用意された着信メロディの曲目の中から適宜に選択する他、使用者が好みの曲を楽譜にしたがって新規に登録することが可能な機能を備えたものが広く使用されている。
【０００３】
【発明が解決しようとする課題】
このような任意の着信メロディを新規に登録可能な通信端末装置では、登録操作の後で聴き直して着信メロディが正確に登録されたか否かを確認することになるが、この聴き直しの際の演奏が着信時の通常演奏と同じ速さで行うようになっていると、着信メロディ中に誤りがあることがわかっても、いずれの音が誤っているかを正確に判別することが難しい。また、着信メロディ中に見つかった誤りを修正する場合、正確な音階や音の長さなどの音情報を入力し直すことになるが、これと同時に着信メロディ中の修正箇所を指定する必要があり、このような修正操作を操作キーだけで行うには手間を要し、簡単に修正を行うことができない。
【０００４】
本発明は、このような従来技術の問題点を解消するべく案出されたものであり、その主な目的は、着信メロディ中の誤りを簡単に見つけだして修正することができるように構成された通信端末装置及びその着信音設定方法を提供することにある。
【０００５】
【課題を解決するための手段】
このような目的を果たすために、本発明においては、任意の着信メロディを新規に登録可能な通信端末装置の構成を、新規に登録して着信音データ格納手段に格納された着信メロディ中の誤りを見つけ出すための試聴の際に、着信時の通常演奏よりもゆっくりとしたテンポで着信メロディの各音が発生するように着信音発生手段を制御する着信音発生制御手段を備えたものとした。これによると、着信音メモリに格納された着信メロディ中のいずれの音が誤っているかを容易に判別することができる。
【０００６】
この場合、次の音に変わるまでの間に音の正誤の判定が可能な時間を確保する必要があり、これには例えば、各音の長さを着信時の通常演奏よりも一様に大きくとって再生する他、登録された各音の長さを無視して各音を一定の間隔で発生させる、あるいは１音ずつ区切って再生する、すなわち音の間に所定長さの無音状態を入れて再生することも可能である。
【０００７】
また、本発明においては、任意の着信メロディを新規に登録可能な通信端末装置の構成を、新規に登録して着信音データ格納手段に格納された着信メロディ中の誤りを見つけ出すための試聴の際に、着信メロディの各音を表す音情報を、当該音の発生と同時に表示する表示手段を備えたものとした。これによると、表示手段の表示内容を見て音の正誤を正確に判定することができる。
【０００８】
特に、前記構成の通信端末装置における表示手段が、選択的に点灯可能な複数の操作キーであり、予め設定された点灯規則、すなわち音情報と操作キーとの対応関係に基づいた操作キーの点灯によって発生中の音に対応する音情報を表示させる操作キー点灯制御手段を備えた構成とすると良く、これによると、操作キーの点灯状況で音情報を認識することができる。
【０００９】
あるいは、前記構成の通信端末装置における表示手段が、文字・記号を表示可能な表示パネルであり、予め設定された表記規則、すなわち文字・記号による音情報の表記方法に基づいた表示パネルの表示によって発生中の音に対応する音情報を表示させる表示パネル制御手段を備えた構成とすると良く、これにより、表示パネルに表示された文字や記号から音情報を認識することができる。
【００１０】
この場合、着信メロディの各音を表す音情報を順に複数列べて表示すると共に、発生中の音に対応した表示部分を他の部分と識別可能に表示する、例えば反転表示、あるいはカーソル表示すると見易くなる。また、次に説明する音情報を記入したメロディ入力シートで着信メロディの登録・修正を行う構成では、メロディ入力シートの表記規則と表示パネル上の表記規則とを類似させることが混乱を避ける上で望ましい。
【００１１】
なお、前記の操作キーによる音情報の表示と表示パネルによる音情報の表示とを併用することも可能であり、さらに両者の表示内容の組み合わせでより詳細な音情報を表示するようにしても良い。
【００１２】
本発明においては、任意の着信メロディを新規に登録可能な通信端末装置の構成を、着信メロディの各音ごとの音情報記入欄が設けられたメロディ入力シートを読み取る読取手段と、この読取手段により読み取ったメロディ入力シートの内容を認識するシート認識手段と、このシート認識手段の認識内容から着信音データ格納手段に格納する着信音データを生成する着信音データ生成手段とを備え、音情報記入欄に記入された修正済みの音情報をシート認識手段に認識させて、着信音データ格納手段のデータを修正するものとした。
【００１３】
これによると、新規に登録された着信メロディ中の誤りを見つけ出すための試聴により誤りのある音が判明した場合に、メロディ入力シートを読み込ませるだけで修正することができ、修正操作が容易になる。
【００１４】
特に前記構成の通信端末装置において、メロディ入力シートに各音ごとに修正の有無を記入する修正有無記入欄を設け、これをもとに修正ありと認識された音情報記入欄のみデータ修正を行うようにすると良く、これによると、未記入の新しいメロディ入力シートを用いて修正する場合に、修正がある音情報記入欄のみ記入すれば良く、手間を省くことができる。
【００１５】
この場合、読み取り操作が修正及び登録のいずれに該当するかを指定する必要があり、特に、メロディ入力シートに登録及び修正の別を記入する読取種別記入欄を設け、これをもとに修正と認識された場合に修正有無記入欄にもとづく修正がある音情報記入欄のみのデータ修正を行うようにした構成とすると好ましく、これにより修正操作をより一層容易にすることができる。なお、ここで修正なしと認識された場合、すなわち新規登録と認識された場合には着信メロディの全音の音情報を認識して着信音データ格納手段に格納する。
【００１８】
【発明の実施の形態】
以下に添付の図面を参照して本発明の構成を詳細に説明する。
【００１９】
図１は、本発明が適用されたファクシミリ装置の全体構成を示している。このファクシミリ装置は、装置全体の制御を行う主制御部１と、回線との間でのデータの送受信を行う回線制御部２及びモデム部３と、原稿の読み取りを行う読取部４と、受信した画情報や登録されたデータを印字する印刷部５と、主制御部１を動作させるプログラムを格納したＲＯＭ６と、送受信中の画情報などを記憶するＲＡＭ７と、画情報の送信や種々の設定などの操作を行う操作部８と、装置の動作状況や登録内容を表示する表示部９とを有している。
【００２０】
このファクシミリ装置は、予め登録された着信メロディを着信に応じて演奏する着信メロディ機能を備えており、図２に示すように、着信音データ格納部２１に格納された着信メロディデータをもとに着信音発生部２２から着信メロディを発生させる着信音発生制御部２３を有している。
【００２１】
着信音データ格納部２１はＲＡＭ７内に設けられ、着信音発生制御部２３は主制御部１内に設けられる。着信音発生部２２は、モデム部３でのＤ／Ａ変換機能を用いて着信メロディを発生するものとすれば良いが、別途ＦＭ音源などを設けるようにしても良い。
【００２２】
着信音発生制御部２３は、新規に登録して着信音データ格納部２１に格納された着信メロディ中の誤りを見つけ出すための試聴の際に、着信時の通常演奏よりもゆっくりとしたテンポで着信メロディの各音が発生するように着信音発生部２２を制御するようになっている。例えば図３に示すように、各音の長さを着信時の通常演奏よりも一様に大きくとって再生する。また、図４（Ａ）に示すように、登録された各音の長さを無視して各音を一定の間隔で発生させる。あるいは図４（Ｂ）に示すように、１音ずつ区切って再生する、すなわち音の間に所定長さの無音状態を入れて再生する。
【００２３】
また、本ファクシミリ装置は、着信メロディの各音を表す音情報を、音の発生と同時に表示し得るようになっている。すなわち、図２に示すように、選択的に点灯可能な複数の操作キーからなる操作キー群２５と、予め設定された点灯規則にしたがって操作キー群２５中の操作キーの点灯によって発生中の音に対応する音情報を表示させる操作キー点灯制御部２６とを備えている。さらに、文字・記号を表示可能な表示パネル２７と、予め設定された表示規則にしたがって表示パネル２７の表示によって発生中の音に対応する音情報を表示させる表示パネル制御部２８とを備えている。
【００２４】
音情報を表示させる操作キー群２５は、図１に示した操作部８を構成するもので、図５に示すように、送信先番号を入力するテンキー及び＃キーが好適であり、各操作キーにはランプが内蔵されている。この場合、例えば「ド」から「シ」までの７音階が１から７までのテンキーに割り振られており、発生中の音に対応するテンキーが点灯する。＃キーは、発生中の音に＃指定がある場合に点灯する。ここでは、１のキーと＃のキーとが点灯し、発生中の音が「ド＃」であることを表している。
【００２５】
音情報を表示させる表示パネル２７は、図１に示した表示部９を構成するものであり、図６に示すように、着信メロディの各音を表す文字及び記号からなる音情報を、演奏順に複数列べて表示すると共に、演奏中の音に対応した表示部分を他の部分と識別可能なように反転表示させている。表示パネルに表示される音情報は、音階、＃指定及び音の長さである。すなわち７音階を表す「ド」、「レ」、「ミ」、「ファ」、「ソ」、「ラ」及び「シ」の文字、＃指定の有無を表す「＃」の文字、全音符から１６分音符までの５種類の音符を表す「１」、「２」、「４」、「８」及び「Ｆ」の文字あるいは休符を表す「０」の文字が順に表示される。ここでは、反転表示された発生中の音が「ド＃」の４分音符であることを表している。なお、表示パネルに着信メロディ中の全ての音情報を一度に表示することができない場合には、画面のスクロールで対応すれば良い。なお、１オクターブ上または下の音階を示す記号、例えば「△」及び「▽」を適宜な位置に表示させるようにしても良い。
【００２６】
図７は、新規に登録された着信メロディ中の誤りを見つけ出すための試聴の際の演奏動作のフローを示している。ここでは、まずステップ１０１で着信音発生制御部２３において着信音データ格納部２１から着信メロディの音データを入手して、ステップ１０２で着信音発生部２２から音を発生させる。ついで、ステップ１０３で表示パネル２７に表示された各音の音情報のうちの該当音の音情報を示す部分を反転表示させ、ステップ１０４で該当音の音情報に対応する操作キー群２５中の操作キーを点灯させ、ステップ１０５で全データ終了か否かが判定され、全データ終了でなければステップ１０１に戻り、これを全データ終了まで順に繰り返す。なお、誤りが判明した段階で適宜に終了させる構成としても良い。
【００２７】
さらに、本ファクシミリ装置では、着信メロディの各音ごとの音情報が記入される欄が設けられたメロディ入力シートを図１に示した読取部４で読み取り、ここで読み取ったメロディ入力シートの内容を、図２に示すシート認識部３０にて認識させ、その認識内容に基づいて着信音データ生成部３１にて着信音データを生成して着信音データ格納部２１に格納することによって着信メロディの登録及び修正が可能になっている。シート認識部３０及び着信音データ生成部３１は、図１に示した主制御部１内に設けられる。さらに、登録されている着信メロディの音情報をメロディ入力シートと同じ形式で印刷部５から出力することもできる。
【００２８】
図８は、メロディ入力シートの一例（着メロ登録／修正用紙）を示している。ここでは、着信メロディの各音ごとの音情報記入欄４１が順に列べて配置され、各音情報記入欄４１には、音階、シャープ（＃）の有無及び音の長さを指定するために文字または数字がそれぞれ１字ずつ記入される音階欄４２、シャープ欄４３及び長さ欄４４が設けられ、文字読み取り方式（ＯＣＲ方式）で認識されるようになっている。
【００２９】
音階欄４２には、例えば「０」から「９」の１０個の数字及び「Ａ」、「Ｂ」、「Ｃ」、「Ｄ」、「Ｅ」、「Ｆ」、「Ｇ」、「Ｈ」、「Ｉ」、「Ｊ」及び「Ｋ」の１１個のアルファベットのいずれか１つが記入されて、３オクターブに亘る７個の音階「ド」、「レ」、「ミ」、「ファ」、「ソ」、「ラ」及び「シ」、即ち２１個の音階の１つが指定される。シャープ欄４３には、例えば＃の有無を指定する「０」及び「１」のいずれかが記入される。長さ欄４４には、例えば「０」、「１」、「２」、「４」、「８」及び「Ｆ」のいずれかが記入され、休符、全符号、２分音符、４分音符、８分音符及び１６分音符のいずれかが指定される。
【００３０】
また、このメロディ入力シートには、各音ごとに修正の有無を記入する修正有無記入欄４６が設けられており、これをもとに修正ありと認識された音情報記入欄４１のみを解析して着信音データ格納部２１のデータを修正するようになっている。さらに、メロディ入力シートには、読み取り操作が登録及び修正のいずれに該当するかを記入する読取種別記入欄４７が設けられており、これをもとに修正と認識された場合に修正有無記入欄４６にもとづく修正がある音情報記入欄のみのデータ修正を行い、登録と判定された場合には、全ての音情報記入欄４１を解析して着信音データ格納部２１に格納する。ここでは、修正有無記入欄４６及び読取種別記入欄４７が、枠内の塗り潰しによるマークの有無で修正か否かを判定するマーク読み取り方式（ＯＭＲ方式）で認識されるようになっている。このメロディ入力シートの上端には、シート種別を判別するためのシート種別欄４８にマークが予め印刷されている。
【００３１】
図９・図１０・図１１は、メロディ入力シートの読み取りによる着信音設定動作のフローを示している。まず、図９に示すステップ２０１でメロディ入力シートの読み取りを行い、ステップ２０２で読取種別記入欄４７のマークが認識され、ついでステップ２０３でマークの有無が判定され、ここでマーク有り、すなわち修正と判定されるとステップ２０４に進んで修正動作を行う。ステップ２０３でマーク無し、すなわち登録と判定されるとステップ２０５に進んで登録動作を行う。
【００３２】
図９に示すステップ２０５の登録動作では、図１０に示すように、ステップ３０１においてシート認識部３０で音情報記入欄４１に記入された文字の認識を行い、ステップ３０２に進んで全ての音情報記入欄が終了したか否かが判定され、全記入欄終了でなければステップ３０１に戻り、これを全記入欄終了まで繰り返す。ステップ３０２で全記入欄終了と判定されると、ステップ３０３に進んで着信音データ生成部３１にて認識結果に基づいて着信音データを生成し、ついでステップ３０４で着信音データを着信音データ格納部２１に格納する。
【００３３】
図９に示すステップ２０４の修正動作では、図１１に示すように、まず、ステップ４０１で音情報記入欄４１ごとに設けられた修正有無記入欄４６のマークの認識を行い、ステップ４０２でマークの有無を判定し、マーク無しと判定されるとステップ４０３に進む。ステップ４０２でマーク有りと判定されるとステップ４０４に進み、シート認識部３０にて該当する音情報記入欄４１の認識を行い、ついでステップ４０５において着信音データ生成部３１で認識結果に基づいて着信音データを生成し、ステップ４０６で着信音データ格納部２１に格納された着信音データの修正を行い、ステップ４０３に進む。ステップ４０３では全データ終了か否かが判定され、全データ終了でなければステップ４０１に戻り、これを全データ終了まで順に繰り返す。
【００３４】
なお、前記の例では音情報の認識を文字読み取り方式（ＯＣＲ方式）で行うものとしたが、マークシート方式（ＯＭＲ方式）による構成も可能である。この場合、例えばドからシまでの７つの音階に対応するマーク欄と、「＃」に対応するマーク欄と、１から１６までの５種類の音符の長さに対応するマーク欄と、休符に対応するマーク欄と、終了を指定するためのマーク欄とで１音ごとに音情報を指定するものとし、これらのマーク欄を想定される音の数だけ列べて設けられたシートを用いれば良い。
【００３５】
【発明の効果】
このように本発明によれば、着信時の通常演奏よりもゆっくりとしたテンポで着信メロディを演奏させることにより、着信メロディ中のいずれの音が誤っているかを容易に判別することができ、さらに着信メロディの音情報を操作キーや表示パネルなどの表示手段で表示させることにより、音の正誤を正確に判別することができる。また、メロディ入力シートを読取手段で読み取らせることにより、容易に修正することができる。
【図面の簡単な説明】
【図１】本発明が適用されるファクシミリ装置の全体を示すブロック図
【図２】本発明による着信メロディ機能に関わる要部のブロック図
【図３】本発明による試聴の際の着信メロディの発生状況を示す図
【図４】（Ａ）本発明による試聴の際の着信メロディの発生状況の他の例を示す図
（Ｂ）本発明による試聴の際の着信メロディの発生状況の他の例を示す図
【図５】本発明による点灯により音情報を表示する操作キーの一例を示す図
【図６】本発明による音情報を表示する表示パネルの一例を示す図
【図７】本発明による試聴演奏動作のフロー図
【図８】本発明によるメロディ入力シートの一例を示す図
【図９】本発明による着信音設定動作のフロー図
【図１０】本発明による登録動作のフロー図
【図１１】本発明による修正動作のフロー図
【符号の説明】
１  主制御部
２  回線制御部
３  モデム部
４  読取部
５  印刷部
６  ＲＯＭ
７  ＲＡＭ
８  操作部
９  表示部
２１  着信音データ格納部
２２  着信音発生部
２３  着信音発生制御部
２５  操作キー群
２６  操作キー点灯制御部
２７  表示パネル
２８  表示パネル制御部
３０  シート認識部
３１  着信音データ生成部
４１  音情報記入欄
４２  音階欄
４３  シャープ欄
４４  長さ欄
４６  修正有無記入欄
４７  読取種別記入欄
【図１】
0003713435.tif 000002
【図２】
0003713435.tif 000003
【図３】
0003713435.tif 000004
【図４】
0003713435.tif 000005
【図５】
0003713435.tif 000006
【図６】
0003713435.tif 000007
【図７】
0003713435.tif 000008
【図８】
0003713435.tif 000009
【図９】
0003713435.tif 000010
【図１０】
0003713435.tif 000011
【図１１】
0003713435.tif 000012